(57)【要約】【課題】ウェブの切断長さが変動しないように、ウェブのガイド板への吸着を防止できるようにしたウェブ吸着防止方法の提供を課題とする。【解決手段】連続走行するウェブ１０を下方から支持するガイド部材５０のウェブ１０との接触面に、通気可能な空隙部５６を形成して、ウェブ１０がガイド部材５０に吸着するのを防止する。【選択図】      図３
2004256265.tif 000002
【特許請求の範囲】
【請求項１】
連続走行するウェブを下方から支持するガイド部材の該ウェブとの接触面に、通気可能な空隙部を形成して、前記ウェブが前記ガイド部材に吸着するのを防止したことを特徴とするウェブ吸着防止方法。
【請求項２】
前記ガイド部材の前記ウェブとの接触面を合成皮革で構成し、該合成皮革に前記空隙部を形成したことを特徴とする請求項１に記載のウェブ吸着防止方法。
【請求項３】
前記合成皮革にウェブの走行方向に沿った凹部を形成し、該凹部を空隙部としたことを特徴とする請求項２に記載のウェブ吸着防止方法。
【請求項４】
前記ガイド部材のガイド板に、厚さの異なる両面テープを用いて前記合成皮革を貼設することにより、前記凹部を形成したことを特徴とする請求項３に記載のウェブ吸着防止方法。
【請求項５】
前記凹部を複数形成したことを特徴とする請求項３又は４に記載のウェブ吸着防止方法。
【発明の詳細な説明】
【０００１】
【発明の属する技術分野】
本発明は、連続走行する感光性平版印刷版等のウェブを下方から支持するガイド部材に、ウェブが吸着しないようにするウェブ吸着防止方法に関する。
【０００２】
【従来の技術】
感光性平版印刷版（以下、「ＰＳ版」という）は、一般にシート状あるいはコイル状のアルミニウム版に、例えば、砂目立て、陽極酸化、化成処理等の表面処理を単独又は適宜組み合わせて行い、次いで、感光液の塗布、乾燥処理を行った後（以下、このように加工されたものを「ウェブ」という）、所望のサイズに裁断することで製造される。
【０００３】
すなわち、ＰＳ版のトリミング幅（幅サイズ）は、ウェブをスリッターで連続裁断することにより決定され、ＰＳ版の切断長さ（搬送（走行）方向の長さ）は、スリッターよりもウェブの搬送（走行）方向下流側（以下、単に「下流側」という）に配置された揺動式カッターでウェブを連続切断することにより決定される（例えば、特許文献１参照）。
【０００４】
図５で示すように、揺動式カッター７４は、ウェブ７０の搬送（走行）方向と平行な方向に往復移動可能な下刃７８Ｂと、ウェブ７０の搬送（走行）方向と平行な方向に往復移動可能で、かつ所定高さ昇降移動可能な上刃７８Ａとを備えており、その上刃７８Ａ及び下刃７８Ｂは、下流側へ向かうウェブ７０の走行速度と同期して移動可能に構成されている。したがって、ウェブ７０は一時停止することなく、上刃７８Ａと下刃７８Ｂの剪断作用によって裁断される。
【０００５】
【特許文献１】
特開２００２−２０５２９５公報
【０００６】
【発明が解決しようとする課題】
ところで、揺動式カッター７４よりもウェブ７０の搬送（走行）方向上流側（以下、単に「上流側」という）には、ベルトコンベア７２上を搬送されて来る（走行する）ウェブ７０を切断位置、即ち受け台７６まで案内するガイド部材８０が配設されている。このガイド部材８０は、水平方向に設置されたガイド板８２と、このガイド板８２のガイド面（上面）を被覆する合成皮革８４とで構成されている。そのため、揺動式カッター７４が元の位置に復帰しようとしてウェブ７０の搬送（走行）方向と反対（上流）方向に移動するときに、ウェブ７０が合成皮革８４のガイド面（上面）に吸着されてしまうことがあった。
【０００７】
このような吸着現象が起きると、ウェブ７０は連続的に搬送されて来る（走行している）ので、図５で示すように、ガイド部材８０でウェブ７０がつかえて、ガイド部材８０よりも上流側（後続）のウェブ７０が上方へ向かって撓んでしまい、一定速度による搬送（走行）が不可能になってしまうことがあった。つまり、ウェブ７０は、ある程度まで上方に撓むと、ガイド板８２（合成皮革８４）の上流側から剥がれ出して、その後、その撓んだ分が一気に切断位置（受け台７６）まで供給されてしまうため、ウェブ７０の搬送量（走行量）が一定にならず（安定せず）、その切断長さが変動してしまう問題があった。
【０００８】
そこで、本発明は、ウェブの搬送量（走行量）が一定になるように（ウェブの切断長さが変動しないように）、ウェブのガイド板への吸着を防止できるようにしたウェブ吸着防止方法を得ることを目的とする。
【０００９】
【課題を解決するための手段】
上記の目的を達成するために、本発明に係る請求項１に記載のウェブ吸着防止方法は、連続走行するウェブを下方から支持するガイド部材の該ウェブとの接触面に、通気可能な空隙部を形成して、前記ウェブが前記ガイド部材に吸着するのを防止したことを特徴としている。
【００１０】
請求項１の発明では、ガイド部材のウェブとの接触面に、通気可能な空隙部を形成したので、ガイド部材とウェブとの間に空気層が形成され、ウェブがガイド部材に吸着されない。したがって、ウェブの搬送量（走行量）を常時一定にすることができ、その切断長さが変動しないようにできる。
【００１１】
また、請求項２に記載のウェブ吸着防止方法は、請求項１に記載のウェブ吸着防止方法において、前記ガイド部材の前記ウェブとの接触面を合成皮革で構成し、該合成皮革に前記空隙部を形成したことを特徴としている。
【００１２】
請求項２の発明では、ガイド部材のウェブとの接触面を合成皮革で構成したので、ウェブを傷つけるような不具合がなく、空隙部はその合成皮革に形成すればよいため、簡単に構成することができる。
【００１３】
そして、請求項３に記載のウェブ吸着防止方法は、請求項２に記載のウェブ吸着防止方法において、前記合成皮革にウェブの走行方向に沿った凹部を形成し、該凹部を空隙部としたことを特徴としている。
【００１４】
請求項３の発明では、合成皮革にウェブの走行方向に沿って形成した凹部を空隙部としたため、ガイド部材（合成皮革）に対するウェブの吸着を好適に防止することができる。
【００１５】
また、請求項４に記載のウェブ吸着防止方法は、請求項３に記載のウェブ吸着防止方法において、前記ガイド部材のガイド板に、厚さの異なる両面テープを用いて前記合成皮革を貼設することにより、前記凹部を形成したことを特徴としている。
【００１６】
請求項４の発明では、厚さの異なる両面テープによって合成皮革に凹部が形成されるようにしたため、合成皮革に凹部を加工する手間がなくなる。したがって、安価で、かつ簡単に凹部を構成することができる。
【００１７】
更に、請求項５に記載のウェブ吸着防止方法は、請求項３又は４に記載のウェブ吸着防止方法において、前記凹部を複数形成したことを特徴としている。
【００１８】
請求項５の発明では、凹部が複数形成されているため、ウェブとガイド部材（合成皮革）との間の通気が良好になり、ガイド部材（合成皮革）に対するウェブの吸着をより一層好適に防止することができる。
【００１９】
【発明の実施の形態】
以下、本発明の実施の形態を図面に示す実施例を基に詳細に説明する。まず、最初に、ＰＳ版加工ラインの概要を説明する。
【００２０】
（加工ライン）
図１で示すように、ＰＳ版加工ラインの上流側には、コイル状のアルミニウム版であるウェブ１０を送り出す２軸式の送出機１２が配設されており、その送出機１２の近傍にはウェブ変更カッター１３が配設されている。このウェブ変更カッター１３は、ウェブ１０を交換する際に用いられ、ウェブ１０が切断された後、図示しない接合装置でウェブ１０の後端部と次のコイル状ウェブ１１から引き出されたウェブ１１の先端部が接合される。
【００２１】
また、送出機１２から所定の速度（５ｍ／ｍｉｎ〜１００ｍ／ｍｉｎが好ましい）で送り出されるウェブ１０は、ダンサーローラー１４、レベラー１５で姿勢が矯正され、送りローラー１６の所で、帯電した合紙２０が重ね合わされ、ノッチャー１８に至る。そして、そのノッチャー１８で、ウェブ１０のエッジ（側端部）の一部が打ち抜かれ、スリッター２２のトリミング刃が、その打ち抜かれた部分で、ウェブ１０の幅方向へ移動することにより、ウェブ１０は所定のトリミング幅（幅サイズ）に裁断される。
【００２２】
こうして、所定のトリミング幅（幅サイズ）とされたウェブ１０は揺動式カッター２４の上流側近傍に配設された測長ローラー２６の回転角度（回転数）を測定することにより送り長さが検出され、指示されたタイミングで上刃２８Ａがそのウェブ１０を切断することにより、設定されたサイズのＰＳ版３０が製造される。なお、測長ローラー２６は、ウェブ１０の表面を傷付けることがないように、ゴムなどの弾性体で構成され、上下方向からウェブ１０をニップするとともに、ウェブ１０の走行に従動して回転する構成である。そして、所定サイズに切断されたＰＳ版３０は、ガイド部材４８や複数のベルトコンベア２９によって更に搬送され、集積部３１に至る。
【００２３】
（揺動式カッター）
次に、揺動式カッター２４について説明する。揺動式カッター２４は、図２で示すように、ウェブ１０の搬送（走行）方向と平行な方向（図示の矢印方向）に往復移動可能な支持台３２を備え、その支持台３２上に下刃２８Ｂが配設されている。また、上刃２８Ａは、ウェブ１０の搬送（走行）方向と平行な方向に往復移動可能で、かつ所定高さ昇降移動可能な支持部材（図示省略）に取り付けられており、上刃２８Ａ及び下刃２８Ｂは、下流側へ向かうウェブ１０の走行速度と同期して移動可能に構成されている。したがって、ウェブ１０は一時停止することなく、上刃２８Ａと下刃２８Ｂの剪断作用によって裁断される。
【００２４】
また、支持台３２上において、下刃２８Ｂの上流側には、ウェブ１０を下方から支持するとともに、その下流側先端が切断位置となる受け台４０が配設されている。この受け台４０は、支持台３２上に設置された筒状壁４４に遊挿される脚部４２を有しており、その脚部４２に、筒状壁４４内に挿入されるコイルばね４６などの弾性体が垂設されている。
【００２５】
したがって、受け台４０は、上刃２８Ａが上方にあるときには、下刃２８Ｂにウェブ１０の先端が引っ掛からないようにウェブ１０を支持し、上刃２８Ａが下降したときには、その上刃２８Ａが受け台４０と干渉しないように、筒状壁４４にガイドされた状態で上下方向に揺動可能となる構成である。なお、ウェブ１０を切断した上刃２８Ａは、元の位置まで上昇するとともに上流側へ移動し、支持台３２も元の位置まで上流側へ移動する構成である。
【００２６】
また、支持台３２上において、下刃２８Ｂの下流側と、下刃２８Ｂと受け台４０の間と、受け台４０の上流側には、上方に向かって常時エアーを吹き出すパイプ３４、３６、３８が配設されており、搬送されて来るウェブ１０をそのエアーによって下方から支持できるようになっている。
【００２７】
更に、測長ローラー２６の下流側に配置されたベルトコンベア２７と受け台４０との間には、搬送されて来る（走行する）ウェブ１０を受け台４０（切断位置）まで案内するガイド部材５０が配設されている。このガイド部材５０は、水平方向に固定配置されたガイド板５２と、このガイド板５２のガイド面（上面）を被覆する合成皮革５４とで構成されており、ウェブ１０は、そのガイド部材５０によって下方から支持された状態で、最終的な切断位置となる受け台４０へ供給される。
【００２８】
合成皮革５４は、ガイド板５２のガイド面（上面）に接着剤や両面テープ等の接着手段によって貼設され、図３、図４で示すように、合成皮革５４のガイド面（上面）には、ウェブ１０の搬送（走行）方向と平行な方向に沿って直線状に（又は曲線状でもよく、それらの組合わせでもよい）、所定幅（ピッチ）及び所定高さ（高低差）の凹部５６及び凸部５８が複数列形成されている。この凹部５６及び凸部５８のピッチは、合成皮革５４の横幅寸法によって適宜設定されるが、２５ｍｍ〜５０ｍｍが好ましく、その高低差は、０．３ｍｍ〜０．５ｍｍが好ましい。そして、この凸部５８が実際にウェブ１０と接触する（ウェブ１０を支持する）ガイド面とされている。
【００２９】
また、この凹部５６及び凸部５８の形成方法としては、図４（Ａ）で示すように、ガイド板５２のガイド面（上面）に、厚さが異なる両面テープ６０、６２をウェブ１０の搬送（走行）方向と平行な方向に沿って貼付し、その上に平面状の合成皮革５４を貼設することによって形成してもよいし、図４（Ｂ）で示すように、合成皮革５４のガイド面（上面）に直接形成するようにしてもよいが、図４（Ａ）で示す方法の方が、図４（Ｂ）で示す方法よりも、凹部５６及び凸部５８を安価で簡単に構成しやすい利点がある。
【００３０】
何れにしても、このような凹部５６及び凸部５８を形成することにより、ウェブ１０を好適に支持できるとともに、ウェブ１０が合成皮革５４（ガイド板５２）に吸着するのを好適に防止することができる。すなわち、アルミニウム版である（アルミニウム製の）ウェブ１０は、その厚さが薄く（０．１５ｍｍ〜０．４ｍｍが好ましい）形成され、かつ、その横幅が広く（７８０ｍｍ〜１３１０ｍｍが好ましい）形成されているため、合成皮革５４のガイド面（上面）に吸着されやすいが、合成皮革５４に凹部５６を形成して、凸部５８（ガイド面）に支持されるウェブ１０との間に空気（エアー）が通る隙間を形成し、合成皮革５４とウェブ１０との間に空気層が良好に形成されるようにしたので、合成皮革５４に対するウェブ１０の吸着を確実に防ぐことができる。
【００３１】
したがって、ウェブ１０の搬送量（走行量）を常時一定にでき、ウェブ１０の切断長さが変動しないようにできる。なお、パイプ３６、３８からは常時上方に向かってエアーが吹き出しているので、受け台４０の表面（上面）にウェブ１０が吸着されることはない。また、ガイド板５２（合成皮革５４）の横幅は、ウェブ１０の横幅よりも大きいため、今までは、ウェブ１０のエッジ（側端部）が合成皮革５４を削ってしまうことがあり、その削った箇所にウェブ１０のエッジ（側端部）が引っ掛かって、ウェブ１０の搬送量（走行量）が安定しない（一定にならない）こともあったが、合成皮革５４のガイド面（上面）に形成された凹部５６上に、そのエッジ（側端部）が来るようにすれば、合成皮革５４のガイド面（上面）が削られることがないので、その問題も解消される。
【００３２】
ここで更に、そのガイド部材５０におけるウェブ吸着防止方法の作用を説明する。所定の速度（５ｍ／ｍｉｎ〜１００ｍ／ｍｉｎ）で搬送されて来た（走行して来た）ウェブ１０は、スリッター２２によって所定のトリミング幅（幅サイズ）とされ、次いで揺動式カッター２４へ供給されて、所定の長さに切断される。このとき、ウェブ１０は、測長ローラー２６でその切断タイミングが算出される。そして、そのウェブ１０は、測長ローラー２６よりも下流側に配設されたガイド部材５０に下方から支持された状態で、即ちガイド板５２のガイド面（上面）に貼設された合成皮革５４上に載置された状態で、揺動式カッター２４の受け台４０へ供給される。
【００３３】
揺動式カッター２４の受け台４０へ供給されたウェブ１０は、下刃２８Ｂが取り付けられた支持台３２及び上刃２８Ａが取り付けられた支持部材（図示省略）が、共にウェブ１０の搬送速度（走行速度）と同期して移動し、かつ支持部材（図示省略）に取り付けられた上刃２８Ａが、下刃２８Ｂとの裁断位置（受け台４０の下流側先端）まで下降することにより、一時停止することなく、所定のタイミングで切断される。なお、このとき、受け台４０は、コイルばね４６等によって上下方向に揺動可能に構成されているので、上刃２８Ａが下降して来ても、それとは干渉しないようになっている。したがって、揺動式カッター２４はウェブ１０を好適に切断することができる。
【００３４】
こうして、ウェブ１０を切断した上刃２８Ａ（支持部材）は、上昇するとともに上流側に移動して元の位置に復帰し、下刃２８Ｂ（支持台３２）も上流側に移動して元の位置に復帰し、次のウェブ１０を切断するために待機する。そして、このとき、ガイド部材５０（ガイド板５２）のガイド面（上面）、即ち合成皮革５４のガイド面（上面）には凹部５６が形成され、凸部５８（ガイド面）に支持されているウェブ１０との間に空気（エアー）が通る空隙が形成されているので、揺動式カッター２４（受け台４０）よりも上流側のウェブ１０が合成皮革５４に吸着されることはない。
【００３５】
しかも、凹部５６の上をウェブ１０のエッジ（側端部）が通るように設定することにより、合成皮革５４がそのエッジ（側端部）によって削られることも防止されるので、今までのように、削られた合成皮革５４にエッジ（側端部）が引っ掛かるような不具合も発生しない。したがって、ウェブ１０は、ガイド板５０から揺動式カッター２４へ常時スムーズに供給され、その搬送量（走行量）が不安定になることはないため、その切断長さが変動するような不具合は起きない。
【００３６】
こうして、順次供給されたウェブ１０が所定長さに切断されることにより、設定されたサイズのＰＳ版３０が製造される。なお、受け台４０の下流側及び上流側では、パイプ３６、３８から常時上方に向かってエアーが吹き出されているので、ウェブ１０は、そのエアーによって常時押し上げられた状態となっている。よって、受け台４０にウェブ１０が吸着されることはない。
【００３７】
以上、説明したように、本発明に係るウェブ吸着防止方法は、揺動式カッター２４の近傍に配設されているガイド部材５０に最適であるが、このガイド部材５０への適用に限定されるものではなく、ＰＳ版加工ライン上に配設されている全てのガイド部材に適用可能である。また、そのＰＳ版加工ラインに限定されるものでもなく、長尺状のシートが搬送される（走行する）全てのラインにおいて適用可能である。更に、ウェブ１０の材質もアルミニウムに限定されるものではなく、凹部５６及び凸部５８の形成方法も、上記した方法に特に限定されるものではない。
【００３８】
【発明の効果】
本発明によれば、ウェブのガイド部材への吸着を防止できるので、ウェブの搬送量（走行量）を常時一定にでき、その切断長さが変動しないようにできる。
【図面の簡単な説明】
【図１】ＰＳ版加工ラインの全体概略斜視図
【図２】本発明に係るガイド部材を備えた揺動式カッターの構成を示す概略側面図
【図３】本発明に係るガイド部材（ガイド板及び合成皮革）の概略斜視図
【図４】（Ａ）本発明に係るガイド部材（ガイド板及び合成皮革）の概略側断面図
（Ｂ）本発明に係る別のガイド部材（ガイド板及び合成皮革）の概略側断面図
【図５】従来のガイド部材を備えた揺動式カッターの構成を示す概略側面図
【符号の説明】
１０  ウェブ
２４  揺動式カッター
５０  ガイド部材
５２  ガイド板
５４  合成皮革
５６  凹部（空隙部）
５８  凸部
６０、６２  両面テープ
【図１】
2004256265.tif 000003
【図２】
2004256265.tif 000004
【図３】
2004256265.tif 000005
【図４】
2004256265.tif 000006
【図５】
2004256265.tif 000007